【事件の表示】
　特願２００４−３７７３５０「プラント制御監視装置」拒絶査定不服審判事件〔平成１８年　７月１３日出願公開、特開２００６−１８５１２０〕について、次のとおり審決する。
【結　論】
　本件審判の請求は、成り立たない。
【理　由】
１　手続きの経緯
　本件出願は、平成１６年１２月２７日の出願であって、同１９年１０月１日付けで拒絶の理由が通知され、同１９年１２月６日付けで意見書及び手続補正書が提出され、同２０年１月４日付けで拒絶の理由が通知され、同２０年２月２８日付けで意見書及び手続補正書が提出されたが、同２０年３月１９日付けで拒絶をすべき旨の査定がなされ、これに対し、同２０年４月２３日付けで本件審判の請求がなされ、同２１年１月１６日付けで拒絶の理由が通知され、同２１年３月１６日付けで意見書及び手続補正書が提出されたものである。
　
　
２　本願発明
　本件出願の請求項１ないし３に係る発明は、明細書、特許請求の範囲及び図面の記載からみて、その特許請求の範囲の請求項１ないし３に記載された事項により特定されるとおりのものと認められるところ、請求項１に係る発明（以下、「本願発明」という。）は次のとおりである。
  　
[本願発明]
　「プラントを所定の意味を有する単位でグループ分けした複数の工程に分割して、その分割された工程ごとに当該工程の運転に関するプラント情報を表示する工程画面を有する表示装置を備えた、当該プラントの運転を制御および監視するプラント制御監視装置であって、
　当該表示装置は、各前記工程のうち工程画面に表示された表示工程に関するプラント情報に加え、表示工程以外の他工程に関するプラント情報からなる他工程情報を、新たな画面を重ね合わせることなく前記工程画面内に予め配置して表示するように構成され、
　前記プラント情報は、当該プラントを構成する設備・機器に取り付けられた各種センサから出力される数値情報、これらの制御対象の設備・機器に出力される操作量に関する数値情報のうちの少なくとも１つからなり、
　前記他工程情報は、表示工程以外の他工程に関する複数のプラント情報から予め選択されたものであって、前記表示工程の運転に影響を及ぼすプラント情報および表示工程の運転操作が影響を及ぼすプラント情報のうちの少なくとも１つである、プラント制御監視装置。」
　
　
３　引用刊行物及びその記載事項
　平成２１年１月１６日付けで通知した拒絶理由には、本件出願前に頒布された刊行物である次の刊行物が引用されている。
　
[引用刊行物]
　刊行物１：特開平１−３０２４０７号公報
　
（１）刊行物１の記載内容
   上記刊行物１には、以下の事項が記載されている。
　
ア　第１ページ右欄第２行〜第２頁左上欄第１行
　「  （従来の技術）
　　従来、プラントの運転は、制御盤上に配置されるメータ等を見ながらスイッチ類を操作することにより、多人数で協力し合いながら遂行していくものであった。しかし、最近は、計算機技術の発達やＣＲＴ等の画面表示技術の進歩により、プラントの運転は、画面表示器を用いてその表示画面上で直接プラントの運転監視を行なうことにより、小人数で遂行するものに変わってきた。しかし、その画面表示器上に表示できる内容には限りがある。一方、火力や原子力発電プラントのように操作・監視項目数の多い複雑・大規模なプラントの運転は、同時に操作・監視すべき内容が多岐にわたる。
　そこで従来は、プラントを画面表示器上に表示可能な範囲の系統図に分割して表示画面を作成し、同時に操作・監視に必要のある複数枚の表示画面を１組としてこれらを画面表示器上に選択的に切り換え表示することにより、プラントの運転監視を行なっていた。」
　
イ　第２ページ左上欄第１３行〜右上欄第２行
　「　　（課題を解決するための手段と作用）
　　本発明は、同時に操作・監視が必要な複数枚の系統表示画面中に含まれる必要な表示器、操作器だけを集め、１つに画面編集して表示器上の任意の画面位置に表示できるようにし、通常のプラントの運転操作と監視は個々の系統図表示画面で行なうと共に、プラント変動時などには、その編集画面を重ねて表示させることにより、画面を切り換えることなく集中的にプラントの運転操作と監視が行なえるようにしたものである。」
　
ウ　第２ぺージ右上欄第１２行〜左下欄第７行
　「　第２図は、上記ＣＲＴ表示器１に表示される表示画面の一例を示したもので、このＣＲＴ画面Ａ上には、運転監視すべき系統画面Ｂと、この画面に重ねて集合操作端画面Ｃとが表示されている。更に、この集合操作端画面Ｃ内には異なる各系統画面からそれぞれ集めた目標値設定指示器パターンＣ１，アナログ表示計器パターンＣ２，Ｃ３、ディジタル表示器パターンＣ４，Ｃ５，Ｃ６、開閉操作器パターンＣ７、アナログ表示器パターンＣ８が表示されている。
　本実施例の装置は、このように、ＣＲＴ画面Ａ上に同時に運転操作や監視が必要となる複数の系統画面から必要な操作器、表示器を取り出し、１つに集めた集合操作端画面Ｃを作り、この集合操作端画面Ｃを使って画面を切り換えることなくプラントの必要な運転監視が行なえるようにしたものである。」
　
エ　第２ページ右下欄第１５行〜第３ページ左上欄第１４行
　「　次にオペレータはその集合操作端画面Ｃを避けた画面位置に表示されている系統画面Ｂから集合操作端画面Ｃ内に編集したい操作器や表示器に対応するプラント機器、例えばバルブ、ポンプ等の運転監視項目をタッチスクリーン２によりタッチする。このときその運転監視項目と操作器、表示器パターンとの対応関係（例えば第２図に表示されている系統画面Ｂの手動バルブＢ１に目標値設定指示器パターンＣ１が対応するという関係）は予めつけられ、第３図に示すＰＩＤ情報テーブル９Ａとして系統画面データ管理部９内に記憶されている。ここで、ＰＩＤ（ＰＯＩＮＴ　ＩＤＥＮＴＩＦＩＣＡＴＩＯＮ）はプラン機器例えば系統画面Ｂの手動バルブＢ１であることを特定する識別符号である。また、第３図中の「ＰＩＤ１の操作端インデックス」は、そのＰＩＤ１に対応する操作器パターン、表示器パターンを識別するための符号であり、「操作ＰＩＤｉ，・・・」および［表示ＰＩＤｋ・・・」は、その操作端に対応する操作器パターン、表示器パターンの中のマーカ等のシンボルを表わし、後述する第５図（ｂ）、（ｃ）に対応するものである。」
　
オ　第４ページ左上欄第９行〜右上欄第１８行
　「　このようにして、表示画面制御部５は、ＣＲＴ画面Ａ内に表示された系統画面Ｂから集約したいプラント機器の目標値設定指示器パターンＣ１を集合操作端画面Ｃ内に表示させた後、系統画面Ｂからはそれ以上集約させたいプラント機器がない場合は、タッチスクリーン２あるいはキーボード３を介してＣＲＴ画面Ａ内に他の系統画面Ｂ’（図示せず）をＢの変わりに表示し、上記同様に集合操作端画面Ｃ内にプラント機器の操作器パターンおよび表示器パターンを取り出す処理を実行する。表示画面制御部５はこのような処理を繰り返し実行することにより集合操作端画面Ｃ内に同時に運転操作や監視が必要な全ての系統図から操作監視に必要なプラント機器の操作器表示器パターンC１〜Ｃ８を表示させる集合操作端テーブルを作成すると、これを運転監視演算制御部７を介して集合操作端管理部１０に格納する。更に表示画面制御部５は、このような集合操作端テーブルを操作監視が必要な各プラント状態あるいはプラント構成ブロックごとに作成し、集合操作端管理部１０内に複数格納する。
運用時
　　
カ　第４ページ左下欄第８行〜右下欄第１３行
　「・・・これにより、第２図に示すようにＣＲＴ画面Ａ上に、前以て表示されている系統画面Ｂに重ね合わせて、所望の集合操作端画面Ｃが表示される。
　オペレータはこのＣＲＴ画面Ａを見て、例えば目標値設定指示器パターンＣ１内の設定マーカ上昇押しボタンスイッチＣ１１をタッチすると、その信号が操作内容入力部４から表示画面制御部５を経て運転監視演算制御部７に伝えられる。これにより、運転監視演算制御部７は、先に取り出した操作項目管理テーブル８Ｂに基づき対応するプラント機器ＰＩＤの目標設定値を上昇させる指令を図示せぬプラント制御装置に出力する。これと同時に監視項目管理テーブル８Ｃを参照してそのＰＩＤに対応する表示シンボルである目標設定マーカＣ１３のＹ座標値を増加させる。この結果、ＣＲＴ画面Ａ内に表示される操作端画面Ｃの目標値設定指示器パターンＣ１内の目標設定マーカＣ１３が上昇する。また、プラント制御装置に出力されたＰＩＤの目標設定値が上昇すると、実際のプロセス量（この場合給水流量）が増加する。するとこの値が図示せぬプラント制御装置から運転監視演算制御部７にフィードバックされることにより、運転監視演算制御部７は監視項目管理テーブル８Ｃ内の対応する表示シンボル即ちマーカＣ１４のＹ座標を増加させる。この結果、目調値設定指示器パターンＣ１内の実際値表示マーカＣ１４が上昇する。」
　　
キ　第４ページ右下欄第１４行〜第５ページ第１行
　「[発明の効果]
　以上説明したように、本発明によれば、プラントの運転に必要な操作器、表示器のパターンを独自の計画に基づき任意に集めてＣＲＴ画面上に表示させるようにしたので、系統画面をいちいち切り換えることなく多くの項目を一括して運転操作、監視できるようになり、プラントの運転効率が極めて良くなる。」
　　
ク　図面第２図
　第２図には、ディジタル表示器パターンであるＣ４、Ｃ５、Ｃ６が数値を表示していることが看取される。
　
（２）引用発明
　上記摘記事項イの記載からみて、引用発明の「系統図」は、通常のプラントの運転操作と監視が行えるように所定の意味を有する単位でグループ分けされていることは明らかである。
　また、上記摘記事項ウ、エ及びオの記載からみて、刊行物１記載の「集合操作端画面Ｃ」が、運転監視すべき系統画面Ｂに表示された表示系統図に関する操作器パターンや表示器パターンと、他の系統画面Ｂ’における表示系統図以外の他系統図に関する操作器パターンや表示器パターンとを表示するものであることは明らかである。そして、これら操作器パターンや表示器パターンがプラントの情報を表示するものであることも、また明らかである。
　さらに、上記摘記事項カの記載からみて、刊行物１記載の「集合操作端画面Ｃ」内の「目標値設定指示器パターンＣ１」は、プラント制御装置に出力する目標値を目標設定マーカＣ１３のＹ座標値として表示するものであるから、制御対象の設備・機器に出力される操作量に関する数値情報ということができ、かつ、実際のプロセス量（給水流量）の値をフィードバックしてマーカＣ１４のＹ座標として表示するものでもあるから、プラントを構成する設備・機器に取り付けられた各種センサから出力される数値情報であるということができる。また、上記摘記事項ウ、オ及びクの記載からみて、「集合操作端画面Ｃ内」の「ディジタル表示器パターンＣ４，Ｃ５，Ｃ６」は、プラントを構成する設備・機器に対応した数値情報を表示するものであることは明らかであって、そうした数値情報が各種センサから出力されることも技術常識である。
　
　してみるに、上記摘記事項を技術常識を勘案しながら本願発明に照らして整理すると、刊行物１には次の発明（以下、「引用発明」という）が記載されていると認められる。
　
[引用発明]
　「プラントを所定の意味を有する単位でグループ分けした複数の系統図に分割して、その分割された系統図ごとに系統画面を有するＣＲＴ表示器１を備えた、当該プラントの運転操作および監視を行うプラント運転監視装置であって、
　当該ＣＲＴ表示器１は、各前記系統図のうち表示系統図に関するプラント情報に加え、表示系統図以外の他系統図に関するプラント情報からなる他系統図情報を、新たな画面を重ね合わせて前記系統画面上に呼び出して表示するように構成され、
　前記プラント情報は、当該プラントを構成する設備・機器に取り付けられた各種センサから出力される数値情報、これらの制御対象の設備・機器に出力される操作量に関する数値情報のうちの少なくとも１つからなり、
　前記他系統図情報は、表示系統図以外の他系統図に関する複数のプラント情報から予め選択されたものであって、表示系統図の操作監視と同時に操作監視が必要となるプラント情報である、プラント運転監視装置。」
　
　
４　対比
　本願発明と引用発明とを対比すると、引用発明の「系統図」が何らかの工程を包含していることは自明であり、また、本願発明の「工程」も本願の明細書段落【０００９】に「ただし、これらの工程に限定するものではなく、
例えば、前記各工程を所定の基準でまとめた工程や前記各工程をさらに分けた工程なども含まれる。
　そして、引用発明の「ＣＲＴ表示器１」は本願発明の「表示装置」に、以下同様に「プラントの運転操作および監視を行う」は「プラントの運転を制御および監視する」に、「プラント運転監視装置」は「プラント制御監視装置」に、それぞれ相当する。
　
　してみるに、両者の一致点と相違点は以下のとおりと認められる。
　
[一致点]
　「プラントを所定の意味を有する単位でグループ分けした複数の工程に分割して、その分割された工程ごとに工程画面を有する表示装置を備えた、当該プラントの運転を制御および監視するプラント制御監視装置であって、
　当該表示装置は、各前記工程のうち表示工程に関するプラント情報に加え、表示工程以外の他工程に関するプラント情報からなる他工程情報を表示するように構成され、
　前記プラント情報は、当該プラントを構成する設備・機器に取り付けられた各種センサから出力される数値情報、これらの制御対象の設備・機器に出力される操作量に関する数値情報のうちの少なくとも１つからなり、
　前記他工程情報は、表示工程以外の他工程に関する複数のプラント情報から予め選択されたものである、プラント制御監視装置。」
　
[相違点１]
　本願発明は、工程画面に「表示工程に関するプラント情報」を表示すると共に、「他工程情報を、新たな画面を重ね合わせることなく前記工程画面内に予め配置して表示する」のに対し、引用発明は、「表示工程に関するプラント情報に加え、表示工程以外の他工程に関するプラント情報からなる他工程情報を、新たな画面を重ね合わせることにより工程画面上に呼び出して表示する」点。
　
[相違点２]
　本願発明は他工程情報が「表示工程の運転に影響を及ぼすプラント情報および表示工程の運転操作が影響を及ぼすプラント情報のうちの少なくとも１つである」のに対し、引用発明は他工程情報が「表示工程の操作監視と同時に操作監視が必要なプラント情報である」点。
　
　
  ５　判断
（１）相違点１について
　プラントの監視装置の技術分野において、監視すべき情報を新たな画面を重ね合わせることなく監視画面内に予め配置して表示させることは、例えば、特開平９−１６２１４号公報及び特開平５−１１８８８７号公報記載のごとく従来周知の技術である。
　よって、引用発明において表示工程及び他工程情報に関するプラント情報を表示させるに際し、前記周知技術を適用し、新たな画面を重ね合わせることなく工程画面内に予め配置して表示させることが、当業者にとって格別困難であったとすることはできない。
　
（２）相違点２について
　引用発明における、他系統図に関するプラント情報からなる他系統図情報は、同時に操作や監視が必要な表示器や操作器に関する情報であり、これによってプラントの運転に必要な情報を、系統画面をいちいち切り換えることなく多くの項目を一括して監視できるようにしたものである（上記摘記事項イ及びキ参照）。そうすると、引用発明の他工程情報としての「表示工程の操作監視と同時に操作監視が必要なプラント情報」として、具体的にその情報を選択する際、その表示工程の運転に関連し影響のある工程の情報を選択することが合理的であり、当業者が必要に応じて適宜選択する事項である。
　したがって、引用発明に基づいて、他工程情報としてのプラント情報として、表示工程の運転に影響を及ぼすプラント情報や表示工程の運転操作が影響を及ぼすプラント情報を採用すること、そしてそれらのうちの少なくとも１つのプラント情報を採用することは、当業者が格別の創意を要することなく容易になし得たことである。
　
　
６　本願発明の効果について
　本願発明によってもたらされる効果も、引用例記載の発明及び周知技術から、当業者であれば予測できる範囲内のものであって格別顕著なものとはいえない。
　
　
７　結び
　以上のとおり、本願発明は、刊行物１記載の発明と周知技術とに基づいて当業者が容易に発明をすることができたものであるから、特許法第２９条第２項の規定により特許を受けることができない。
　したがって、本件出願の請求項２及び３に係る発明について判断するまでもなく、本件出願は拒絶すべきものである。
　よって、結論のとおり審決する。